(57)【要約】      （修正有）【課題】呼吸中にマスク本体が着用者の顔に接触することを防止するフェイスマスクを提供する。【解決手段】フェイスマスクは、マスク本体１０と、少なくとも１つの支持ストリップ２０と、２つの耳ループ３０とを備えている。マスク本体は、互いに対向する位置に配置された上端縁１０１及び下端縁１０２と、互いに対向する位置に配置された２つの側端縁１０３とを有している。少なくとも１つの支持ストリップのそれぞれは、細長く、屈曲可能であり、マスク本体の中間位置に配置され、２つの側端縁に向かって延びている。２つの耳ループはそれぞれ、マスク本体の２つの側端縁に連結されている。少なくとも１つの支持ストリップは、マスク本体を持ち上げて、マスク本体と着用者の顔との間に空間を形成し、マスク本体が崩れることから防止する。【選択図】図１
0003231559.tif 000002
【実用新案登録請求の範囲】
【請求項１】
互いに対向する位置に配置された上端縁及び下端縁と、互いに対向する位置に配置された２つの側端縁とを有するマスク本体と、
細長く、屈曲可能で、前記マスク本体の中間位置に配置され、前記２つの側端縁へ向かって延びる少なくとも１つの支持ストリップと、
それぞれ前記２つの側端縁に連結された耳ループとを備えることを特徴とするフェイスマスク。
【請求項２】
請求項１に記載のフェイスマスクにおいて、
前記マスク本体は、アウタープリーツ、第１アッパープリーツ及び第１ロアープリーツを有し、
前記アウタープリーツは、シート状を呈し、
前記第１アッパープリーツは、外層シートと、内層シートと、前記第１アッパープリーツの前記外層シート及び内層シートの両方に連結された屈曲部分とを有し、
前記第１アッパープリーツの前記外層シートは、前記アウタープリーツに、屈曲している折り畳み部分を介して連結され、前記第１アッパープリーツの前記外層シートは、前記第１アッパープリーツの前記内層シートと前記アウタープリーツとの間に配置され、前記第１アッパープリーツの前記内層シートは、前記アウタープリーツから上向きに突出し、
前記第１ロアープリーツは、外層シートと、内層シートと、前記第１ロアープリーツの前記外層シート及び前記内層シートの両方に連結された屈曲部分とを有し
前記第１ロアープリーツの前記外層シートは、前記アウタープリーツに、屈曲している折り畳み部分を介して連結され、前記第１ロアープリーツの前記外層シートは、前記第１ロアープリーツの前記内層シートと前記アウタープリーツとの間に配置され、前記第１ロアープリーツの前記内層シートは、前記アウタープリーツから下向きに突出し、
前記少なくとも一つの支持ストリップは、前記アウタープリーツ或は前記第１アッパープリーツに配置されていることを特徴とするフェイスマスク。
【請求項３】
請求項２に記載のフェイスマスクにおいて、前記少なくとも一つの支持ストリップは、メイン支持ストリップを含み、前記メイン支持ストリップは、前記第１アッパープリーツの前記内層シートにおいて、前記第１アッパープリーツの前記屈曲部分の隣に配置されていることを特徴とするフェイスマスク。
【請求項４】
請求項２に記載のフェイスマスクにおいて、前記少なくとも一つの支持ストリップは、アウター支持ストリップを含み、前記アウター支持ストリップは、前記アウタープリーツにおいて、前記アウタープリーツと前記第１アッパープリーツの前記外層シートとの間に連結された折り畳み部分の隣に配置されていることを特徴とするフェイスマスク。
【請求項５】
請求項２に記載のフェイスマスクにおいて、前記マスク本体は、第２アッパープリーツ及び第２ロアープリーツを有し、
前記第２アッパープリーツは、外層シートと、内層シートと、前記第２アッパープリーツの前記外層シート及び前記内層シートの両方に連結された屈曲部分とを有し、
前記第２アッパープリーツの前記外層シートは、前記第１アッパープリーツの前記内層シートに、屈曲している折り畳み部分を介して連結され、前記第２アッパープリーツの前記外層シートは、前記第２アッパープリーツの前記内層シートと前記第１アッパープリーツの前記内層シートとの間に配置され、前記第２アッパープリーツの前記内層シートは、前記第１アッパープリーツから上向きに突出し、
前記第２ロアープリーツは、外層シートと、内層シートと、前記第２ロアープリーツの前記外層シート及び前記内層シートの両方に連結された屈曲部分とを有し、
前記第２ロアープリーツの前記外層シートは、前記第１ロアープリーツの前記内層シートに、屈曲している折り畳み部分を介して連結され、前記第２ロアープリーツの前記外層シートは、前記第２ロアープリーツの前記内層シートと前記第１ロアープリーツの前記内層シートとの間に配置され、前記第２ロアープリーツの前記内層シートは、前記第１ロアープリーツから下向きに突出していることを特徴とするフェイスマスク。
【請求項６】
請求項５に記載のフェイスマスクにおいて、前記少なくとも一つの支持ストリップは、アッパー支持ストリップを含み、前記アッパー支持ストリップは、前記第１アッパープリーツの前記内層シートにおいて、前記第１アッパープリーツの前記内層シートと前記第２アッパープリーツの前記外層シートとの間に連結された折り畳み部分の隣に配置されていることを特徴とするフェイスマスク。
【請求項７】
請求項１に記載のフェイスマスクにおいて、
前記少なくとも１つの支持ストリップは、複数の前記支持ストリップを含んでいることを特徴とするフェイスマスク。
【請求項８】
請求項７に記載のフェイスマスクにおいて、
前記マスク本体は、互いに間隔を空け且つ平行になった第１プリーツ、第２プリーツ及び第３プリーツを有し、
前記第１プリーツは、前記マスク本体の前記上端縁の隣に配置され、
前記第３プリーツは、前記マスク本体の前記下端縁の隣に配置され、
前記第２プリーツは、前記第１プリーツと前記第３プリーツとの間に配置され、
複数の前記支持ストリップは、間隔を空けて、前記第２プリーツに配置されていることを特徴とするフェイスマスク。
【請求項９】
請求項７に記載のフェイスマスクにおいて、
前記マスク本体は、互いに間隔を空け且つ平行になった第１プリーツ、第２プリーツ及び第３プリーツを有し、
前記第１プリーツは、前記マスク本体の前記上端縁の隣に配置され、
前記第２プリーツは、前記第１プリーツよりも下方に配置され、
前記第３プリーツは、前記第２プリーツよりも下方に配置され、
複数の前記支持ストリップは、それぞれ前記第１プリーツ及び前記第２プリーツに配置された２つの前記支持ストリップを含んでいることを特徴とするフェイスマスク。
【請求項１０】
請求項１に記載のフェイスマスクにおいて、
前記マスク本体は、トッププリーツ、上唇プリーツ及び下唇プリーツを有し、
前記トッププリーツは、前記マスク本体の前記上端縁の隣に配置され、
前記上唇プリーツは、前記トッププリーツよりも下方に配置され、
前記下唇プリーツは、前記上唇プリーツよりも下方に配置され、
前記少なくとも１つの支持ストリップは、それぞれ前記上唇プリーツ及び前記下唇プリーツに配置された２つの前記支持ストリップを含んでおり、
前記フェイスマスクは、細長く、屈曲可能であって、前記トッププリーツに配置された鼻クリップをさらに備えることを特徴とするフェイスマスク。
【考案の詳細な説明】
【技術分野】
【０００１】
本考案は、フェイスマスク、より具体的にはフェイスマスクのマスク本体を持ち上げるための少なくとも１つの支持ストリップを有するフェイスマスク。
【背景技術】
【０００２】
図２１に示されるように、従来のフェイスマスク９０は、マスク本体９１と、２つの耳ループ９２と、鼻クリップ９３とを含む。マスク本体９１は、複数のひだを有し、ひだによって、マスク本体９１が折り重なるように畳まれている。２つの耳ループ９２は、マスク本体９１の横方向の２つの端縁に配置されている。鼻クリップ９３は、マスク本体９１に設けられ、マスク本体９１の上端縁の隣に配置されている。着用者は、２つの耳ループ９２を左右の耳に引っ掛け、マスク本体９１の上端縁に隣接する鼻クリップ９３を着用者の鼻梁に接触させる。着用者は、着用者の鼻にフィットするように鼻クリップ９３を曲げる。マスク本体９１の上端縁は、それに従って着用者の顔に接触する。着用者が呼吸するときには、フェイスマスク９０の外部の空気がマスク本体９１を通過し、着用者の鼻へ入る。フェイスマスク９０は、空気中の汚染物質をブロックすることができる。
【０００３】
それでも、図２１に示されるように、着用者がフェイスマスク９０を着用し屋外で運動するときには、着用者は、運動の間、頻繁に息を大きく吐いたり、吸ったりする。着用者が息を吸い込むとき、マスク本体９１は、着用者の鼻よりも下の皮膚や及び口の内側へ密着する。着用者が息を吐きだすときには、マスク本体９１は、着用者の鼻よりも下の皮膚及び口から外側へ離れていく。フェイスマスク９０は、繰り返し、着用者に密着したり離れたりして、唾液、汗、白い息又は化粧がフェイスマスク９０に付着し、着用者を不快にさせる。
【考案の概要】
【考案が解決しようとする課題】
【０００４】
本考案の目的は、快適な着用体験を提供するフェイスマスクを提供することにある。
【課題を解決するための手段】
【０００５】
フェイスマスクは、マスク本体と、少なくとも１つの支持ストリップと、２つの耳ループとを備えている。マスク本体は、互いに対向する位置に配置された上端縁及び下端縁と、互いに対向する位置に配置された２つの側端縁とを有する。少なくとも１つの支持ストリップは、細長く、屈曲可能で、マスク本体の中間位置に配置され、２つの側端縁に向かって延びている。２つの耳ループはそれぞれ、マスク本体の２つの側端縁に連結されている。少なくとも１つの支持ストリップは、マスク本体を持ち上げて、マスク本体と着用者の顔との間に空間を形成する。少なくとも１つの支持ストリップは、マスク本体が崩れないようにし、呼吸の際にマスク本体が着用者の顔に接触しないようにする。
【０００６】
前記フェイスマスクにおいて、
前記マスク本体は、アウタープリーツ、第１アッパープリーツ及び第１ロアープリーツを有し、
前記アウタープリーツは、シート状を呈し、
前記第１アッパープリーツは、外層シートと、内層シートと、前記第１アッパープリーツの前記外層シート及び内層シートの両方に連結された屈曲部分とを有し、
前記第１アッパープリーツの前記外層シートは、前記アウタープリーツに、屈曲している折り畳み部分を介して連結され、前記第１アッパープリーツの前記外層シートは、前記第１アッパープリーツの前記内層シートと前記アウタープリーツとの間に配置され、前記第１アッパープリーツの前記内層シートは、前記アウタープリーツから上向きに突出し、
前記第１ロアープリーツは、外層シートと、内層シートと、前記第１ロアープリーツの前記外層シート及び前記内層シートの両方に連結された屈曲部分とを有し
前記第１ロアープリーツの前記外層シートは、前記アウタープリーツに、屈曲している折り畳み部分を介して連結され、前記第１ロアープリーツの前記外層シートは、前記第１ロアープリーツの前記内層シートと前記アウタープリーツとの間に配置され、前記第１ロアープリーツの前記内層シートは、前記アウタープリーツから下向きに突出し、
前記少なくとも一つの支持ストリップは、前記アウタープリーツ或は前記第１アッパープリーツに配置されていることを特徴とする。
【０００７】
前記フェイスマスクにおいて、前記少なくとも一つの支持ストリップは、メイン支持ストリップを含み、前記メイン支持ストリップは、前記第１アッパープリーツの前記内層シートにおいて、前記第１アッパープリーツの前記屈曲部分の隣に配置されていることを特徴とする。
【０００８】
前記フェイスマスクにおいて、前記少なくとも一つの支持ストリップは、アウター支持ストリップを含み、前記アウター支持ストリップは、前記アウタープリーツにおいて、前記アウタープリーツと前記第１アッパープリーツの前記外層シートとの間に連結された折り畳み部分の隣に配置されていることを特徴とする。
【０００９】
前記フェイスマスクにおいて、前記マスク本体は、第２アッパープリーツ及び第２ロアープリーツを有し、
前記第２アッパープリーツは、外層シートと、内層シートと、前記第２アッパープリーツの前記外層シート及び前記内層シートの両方に連結された屈曲部分とを有し、
前記第２アッパープリーツの前記外層シートは、前記第１アッパープリーツの前記内層シートに、屈曲している折り畳み部分を介して連結され、前記第２アッパープリーツの前記外層シートは、前記第２アッパープリーツの前記内層シートと前記第１アッパープリーツの前記内層シートとの間に配置され、前記第２アッパープリーツの前記内層シートは、前記第１アッパープリーツから上向きに突出し、
前記第２ロアープリーツは、外層シートと、内層シートと、前記第２ロアープリーツの前記外層シート及び前記内層シートの両方に連結された屈曲部分とを有し、
前記第２ロアープリーツの前記外層シートは、前記第１ロアープリーツの前記内層シートに、屈曲している折り畳み部分を介して連結され、前記第２ロアープリーツの前記外層シートは、前記第２ロアープリーツの前記内層シートと前記第１ロアープリーツの前記内層シートとの間に配置され、前記第２ロアープリーツの前記内層シートは、前記第１ロアープリーツから下向きに突出していることを特徴とする。
【００１０】
前記フェイスマスクにおいて、前記少なくとも一つの支持ストリップは、アッパー支持ストリップを含み、前記アッパー支持ストリップは、前記第１アッパープリーツの前記内層シートにおいて、前記第１アッパープリーツの前記内層シートと前記第２アッパープリーツの前記外層シートとの間に連結された折り畳み部分の隣に配置されていることを特徴とする。
【００１１】
前記フェイスマスクにおいて、
前記少なくとも１つの支持ストリップは、複数の前記支持ストリップを含んでいることを特徴とする。
【００１２】
前記フェイスマスクにおいて、
前記マスク本体は、互いに間隔を空け且つ平行になった第１プリーツ、第２プリーツ及び第３プリーツを有し、
前記第１プリーツは、前記マスク本体の前記上端縁の隣に配置され、
前記第３プリーツは、前記マスク本体の前記下端縁の隣に配置され、
前記第２プリーツは、前記第１プリーツと前記第３プリーツとの間に配置され、
複数の前記支持ストリップは、間隔を空けて、前記第２プリーツに配置されていることを特徴とする。
【００１３】
前記フェイスマスクにおいて、
前記マスク本体は、互いに間隔を空け且つ平行になった第１プリーツ、第２プリーツ及び第３プリーツを有し、
前記第１プリーツは、前記マスク本体の前記上端縁の隣に配置され、
前記第２プリーツは、前記第１プリーツよりも下方に配置され、
前記第３プリーツは、前記第２プリーツよりも下方に配置され、
複数の前記支持ストリップは、それぞれ前記第１プリーツ及び前記第２プリーツに配置された２つの前記支持ストリップを含んでいることを特徴とする。
【００１４】
前記フェイスマスクにおいて、
前記マスク本体は、吸収層と、不浸透層と、フィルタ層と、４つの第４プリーツとを有し、
前記フィルタ層は、前記吸収層と前記不浸透層との間に配置され、
前記４つの第４プリーツは、前記マスク本体の前記２つの側端縁と平行となっており、
前記４つの第４プリーツのうちの２つは、前記マスク本体の前記上端縁から前記マスク本体の前記下端縁へ向かって延び、前記吸収層の外側において互いに向かい合う方向へ隆起する２つの隆起部を形成し、
前記４つの第４プリーツのうちの残りの２つは、前記マスク本体の前記下端縁から前記マスク本体の前記上端縁へ向かって延び、前記吸収層の外側において互いに向かい合う方向へ隆起する２つの隆起部を形成することを特徴とする。
【００１５】
前記フェイスマスクにおいて、
前記マスク本体は、トッププリーツ、上唇プリーツ及び下唇プリーツを有し、
前記トッププリーツは、前記マスク本体の前記上端縁の隣に配置され、
前記上唇プリーツは、前記トッププリーツよりも下方に配置され、
前記下唇プリーツは、前記上唇プリーツよりも下方に配置され、
前記少なくとも１つの支持ストリップは、それぞれ前記上唇プリーツ及び前記下唇プリーツに配置された２つの前記支持ストリップを含んでおり、
前記フェイスマスクは、細長く、屈曲可能であって、前記トッププリーツに配置された鼻クリップをさらに備えることを特徴とする。
【００１６】
前記フェイスマスクにおいて、
前記マスク本体は、第１プリーツ、第２プリーツ及び第３プリーツを有し、
前記第１プリーツは、前記マスク本体の前記上端縁の隣に配置され、
前記第３プリーツは、前記マスク本体の前記下端縁の隣に配置され、
前記第２プリーツは、前記第１プリーツと前記第３プリーツとの間に配置され、
前記第１プリーツは、外層シートと、内層シートと、前記第１プリーツの前記外層シート及び前記内層シートの両方に連結された屈曲部分とを有し、
前記第２プリーツは、外層シートと、内層シートと、前記第２プリーツの前記外層シート及び前記内層シートの両方に連結された屈曲部分とを有し、
前記第２プリーツの前記外層シートは、前記第１プリーツの前記内層シートに、屈曲している折り畳み部分を介して連結され、前記第１プリーツの前記内層シートは、前記第１プリーツの前記外層シートと前記第２プリーツの前記外層シートとの間に配置され、
前記少なくとも１つの支持プリーツは、２つの支持プリーツを含み、
一方の前記２つの支持プリーツは、前記第２プリーツの前記外層シートと前記第１プリーツの前記内層シートとの間に連結された前記折り畳み部分の隣に配置され、他方の前記２つの支持プリーツは、前記第２プリーツの前記屈曲部分の隣に配置されていることを特徴とする。
【００１７】
前記フェイスマスクにおいて、
前記第３プリーツは、外層シートと、内層シートと、前記第３プリーツの前記外層シート及び前記内層シートの両方に連結された屈曲部分とを有し、
前記第３プリーツの前記外層シートは、前記第２プリーツの前記内層シートに、屈曲している折り畳み部分を介して連結され、前記第２プリーツの前記内層シートは、前記第２プリーツの前記外層シートと前記第３プリーツの前記外層シートとの間に配置され、
前記フェイスマスクは、細長く、屈曲可能であって、前記マスク本体の前記２つの側端縁へ向かって延び、前記第３プリーツの前記外層シートと前記第２プリーツの前記内層シートとの間に連結された前記折り畳み部の隣に配置された補助ストリップをさらに備えていることを特徴とする。
【００１８】
前記フェイスマスクにおいて、
前記マスク本体は、第１プリーツ、第２プリーツ及び第３プリーツを有し、
前記第１プリーツは、前記マスク本体の前記上端縁の隣に配置され、
前記第３プリーツは、前記マスク本体の前記下端縁の隣に配置され、
前記第２プリーツは、前記第１プリーツと前記第３プリーツとの間に配置され、
前記第１プリーツは、外層シートと、内層シートと、前記第１プリーツの前記外層シート及び前記内層シートの両方に連結された屈曲部分とを有し、
前記第２プリーツは、外層シートと、内層シートと、前記第２プリーツの前記外層シート及び前記内層シートの両方に連結された屈曲部分とを有し、
前記第２プリーツの前記外層シートは、前記第１プリーツの前記内層シートに、屈曲している折り畳み部分を介して連結され、前記第１プリーツの前記内層シートは、前記第１プリーツの前記外層シートと前記第２プリーツの前記外層シートとの間に配置され、
前記第３プリーツは、外層シートと、内層シートと、前記第３プリーツの前記外層シート及び前記内層シートの両方に連結された屈曲部分とを有し、
前記第３プリーツの前記外層シートは、前記第２プリーツの前記内層シートに、屈曲している折り畳み部分を介して連結され、前記第２プリーツの前記内層シートは、前記第２プリーツの前記外層シートと前記第３プリーツの前記外層シートとの間に配置され、
前記少なくとも１つの支持ストリップは、３つの支持ストリップを含み、前記３つの支持ストリップの１つは、前記第２プリーツの前記外層シートにおいて、前記第２プリーツの前記外層シートと前記第１プリーツの前記内層シートとの間に連結された折り畳み部分の隣に配置され、前記３つの支持ストリップの別の１つは、前記第２プリーツの前記外層シートにおいて、前記第２プリーツの前記屈曲部分の隣に配置され、前記３つの支持ストリップの残りの１つは、前記第２プリーツの前記内層シートにおいて、前記第２プリーツの前記内層シートと前記第３プリーツの前記外層シートとの間に連結された折り畳み部分の隣に配置されていることを特徴とする。
【００１９】
前記フェイスマスクにおいて、
前記少なくとも１つの支持ストリップは、２つの支持ストリップを含み、
前記２つの支持ストリップの２つの外側端縁との間には、距離が形成され、
前記２つの支持ストリップの前記２つの外側端縁との間の距離は、２．３ｃｍ以上で且つ２．７ｃｍ以下であることを特徴とする。
【図面の簡単な説明】
【００２０】
【図１】本考案の第１実施形態に係るフェイスマスクの斜視図である。
【図２】図１におけるフェイスマスクを側方から見た拡大断面図である。
【図３】本考案の第２実施形態に係るフェイスマスクの斜視図である。
【図４】本考案に係るフェイスマスクを側方から見た拡大断面図である。
【図５】本考案の第３実施形態に係るフェイスマスクの平面図である。
【図６】本考案に係るフェイスマスクの側面図であり、各固定部まで延びる支持ストリップを示している。
【図７】本考案に係るフェイスマスクの側面図であり、各固定部を貫通して延びる支持ストリップを示している。
【図８】本考案の第４実施形態に係るフェイスマスクの平面図である。
【図９】本考案の第５実施形態に係るフェイスマスクの平面図である。
【図１０】本考案の第５実施形態に係るフェイスマスクの下面図である。
【図１１】図９における第５実施形態に係るフェイスマスクの斜視図である。
【図１２】本考案の第６実施形態に係るフェイスマスクの斜視図である。
【図１３】図１２におけるフェイスマスクを側方から見た拡大断面図である。
【図１４】図１２におけるフェイスマスクを側方から見た別の拡大断面図である。
【図１５】図１２におけるフェイスマスクの側面図であり、着用者の顔に装着されたフェイスマスクを示している。
【図１６】図１２におけるフェイスマスクの別の側面図であり、着用者の顔に装着されたフェイスマスクを示している。
【図１７】本考案の第７実施形態に係るフェイスマスクを側方から見た拡大断面図である。
【図１８】本考案の第８実施形態に係るフェイスマスクを側方から見た拡大断面図である。
【図１９】本考案の第９実施形態に係るフェイスマスクを側方から見た拡大断面図である。
【図２０】本考案の第１０実施形態に係るフェイスマスクを側方から見た拡大断面図である。
【図２１】従来のフェイスマスクの側面図であり、着用者の顔に装着されたフェイスマスクを示している。
【考案を実施するための形態】
【００２１】
図１及び図２を参照すると、本考案に係るフェイスマスクの第１実施形態は、３次元フェイスマスク（レスピレータ）であり、マスク本体１０と少なくとも１つの支持ストリップ２０と、２つの耳ループ３０とを備えている。マスク本体１０は、拡げられたときにカップ状に形成され、互いに対向する位置に配置された上端縁１０１及び下端縁１０２と、互いに対向する位置に配置され且つ平行な２つの側端縁１０３とを有している。マスク本体１０は、吸収層１１と、不浸透層１２と、フィルタ層１３とを有する。
【００２２】
吸収層１１は、反対方向を向く外側面及び内側面を有する。吸収層１１は、吸水材料で形成され、柔らかく、唾液、汗及び白い息などの着用者の体液を吸収するように構成されている。不浸透層１２は、撥水材料で形成され、吸収層１１よりは硬く、飛沫又は血の付着を防止することができる。フィルタ層１３は、吸収層１１と不浸透層１２との間に配置され、吸収層１１の内側面がフィルタ層１３と対向している。
【００２３】
図１、２を参照して、第１実施形態では、支持ストリップ２０の数は、少なくとも１つである。支持ストリップ２０は、屈曲可能で、細長く、２つの側端縁１０３に向かって延びている。支持ストリップ２０の２つの端縁はそれぞれ、２つの側端縁１０３から離れている。支持ストリップ２０は、吸収層１１とフィルタ層１３との間に配置され、マスク本体１０の中間位置に配置されている。２つの耳ループ３０はそれぞれ、２つの側端縁１０３に連結されている。
【００２４】
図３を参照して、第２実施形態も、３次元フェイスマスク（レスピレータ）である。第２実施形態では、少なくとも１つの支持ストリップ２０は、２つの支持ストリップ２０を含む。各支持ストリップ２０は、２つの側端縁１０３に向かって延びている。２つの支持ストリップ２０は、互いに平行であり、マスク本体１０のうち着用者の上唇及び下唇に対応する中間位置に配置されている。具体的には、２つの支持ストリップ２０は、上端縁１０１と下端縁１０２との間の距離を３つの区間に分割する。より具体的には、２つの支持ストリップ２０は、上端縁１０１と下端縁１０２との間の距離を３つの等しい区間に分割する。
【００２５】
吸収層１１、不浸透層１２及びフィルタ層１３は、一体的に溶着されている。各支持ストリップ２０の周囲は、支持ストリップ２０を固定するように溶着れている。それによって、２つの支持ストリップ２０は、マスク本体１０の中間位置に維持され、マスク本体１０に対して移動できない。２つの支持ストリップ２０は、吸収層１１とフィルタ層１３との間に配置され、２つの支持ストリップ２０が曲げられることによって、２つの支持ストリップ２０は、吸収層１１、不浸透層１２及びフィルタ層１３を同時に持ち上げることができる。そのため、マスク本体１０は、拡がった状態で十分に維持され、吸収層１１及びフィルタ層１３だけが持ち上がる状況を防止することができる。
【００２６】
実用的には、２つの支持ストリップ２０を吸収層１１とフィルタ層１３との間で吸収層１１に接着して固定するために、非毒性で環境に優しい接着剤が塗られている。２つの支持ストリップ２０は、吸収層１１の外側面に固定されてもよい。図４に示されるように、吸収層１１、不浸透層１２、フィルタ層１３及び２つの支持ストリップ２０を直接固定するために、各支持ストリップ２０上で各支持ストリップ２０に沿って溶着が適用されてもよい。２つの側端縁１０３の間で２つの支持ストリップ２０が拡がった状態で維持されるほかにも、吸収層１１、不浸透層１２及びフィルタ層１３は、２つの支持ストリップ２０に直接連結されているので、吸収層１１、不浸透層１２又はフィルタ層１３は、着用者が呼吸する際に着用者の顔の方へ吸い込まれない。
【００２７】
第２実施形態が着用者の顔に装着されたときには、一方の支持ストリップ２０は、着用者の鼻柱と上唇との間に配置され、他方の支持ストリップ２０は、着用者の下唇の下方に配置される。２つの支持ストリップ２０は、マスク本体１０を持ち上げ、マスク本体１０と着用者との間に空間を形成するように曲げられることができる。２つの支持ストリップ２０の屈曲の程度は、マスク本体１０と着用者との間の空間を拡げるように調整され得る。その空間によって、着用者は円滑な呼吸を維持することができ、着用者が息を吸い込むときにその空間は小さくならず、２つの支持ストリップ２０に支持されたマスク本体１０は、着用者の顔に引っ付くことを防止するので、本考案のフェイスマスクは、着用者の呼吸困難を防止することができる。
【００２８】
２つの支持ストリップ２０に支持されたマスク本体１０は、着用者の顔に引っ付かないので、着用者の飛沫及び着用者の顔に付いている口紅がマスク本体１０に付着することを防止できる。使用中により衛生的であることに加え、フェイスマスクは、フェイスマスクの耐用期間を長くすることもでき、フェイスマスクを交換する費用を低減し、環境保護に有益である。
【００２９】
さらに、着用者が屋外で運動するときに、２つの支持ストリップ２０に支持されたマスク本体１０は、着用者の円滑な呼吸を維持するだけでなく、従来のフェイスマスク９０は着用者の顔に繰り返し、接触したり離れたりするという従来のフェイスマスク９０の問題を解決する。２つの支持ストリップ２０に支持されたマスク本体１０は、マスク本体１０が着用者の顔に触れてこすれることも防止する。
【００３０】
図２、５を参照して、実施形態３は、平坦なフェイスマスク（サージカルマスク）であり、同様に、マスク本体１０と、吸収層１１とフィルタ層１３との間に配置された２つの支持ストリップ２０と、それぞれ２つの側端縁１０３に連結された２つの耳ループ３０とを備えている。実施形態３のマスク本体１０は、互いに平行で間隔を空けた第１プリーツ１４、第２プリーツ１５及び第３プリーツ１６を有する。第３実施形態のマスク本体１０は、２つの固定部１７をさらに有する。
【００３１】
図５に示すように、第１プリーツ１４は、上端縁１０１の隣りに配置され、第２プリーツ１５は、第１プリーツ１４よりも下方に配置され、第３プリーツ１６は、第２プリーツ１５よりも下方に配置されている。２つの固定部１７は、溶着によって形成され、それぞれ２つの側端縁１０３の隣に配置されている。２つの固定部１７はそれぞれ、２つの側端縁１０３に沿って延びている。第３実施形態では、一方の支持ストリップ２０は、第１プリーツ１４に配置され、他方の支持ストリップ２０は、第２プリーツ１５に配置されている。
【００３２】
図５に示すように、各支持ストリップ２０の２つの端縁はそれぞれ、２つの固定部１７から離れている。図６を参照して、各支持ストリップ２０の２つの端縁はそれぞれ、２つの固定部１７まで延びていてもよい。あるいは、図７に示すように、各支持ストリップ２０の２つの端縁はそれぞれ、２つの固定部１７を通過して、２つの側端縁１０３まで延びていてもよい。溶着によって形成された２つの固定部１７はそれぞれ、各支持ストリップ２０の２つの端縁を固定することができる。それぞれ２つの側端縁１０３まで延びた２つの端縁を有する支持ストリップ２０は、支持ストリップ２０の屈曲の程度を大きくする。着用者は、実用的な使用に従って、マスク本体１０と着用者の顔との間の空間を拡大できる。マスク本体１０は、着用者の口を覆う。第２プリーツ１５と第２プリーツ１５の上に配置された一方の支持ストリップ２０とは、着用者の鼻柱と上唇との間に配置される。第３プリーツ１６と他方の支持ストリップ２０とは、着用者の下唇と顎との間に配置される。２つの支持ストリップ２０は、マスク本体１０と着用者との間に空間を形成するようにマスク本体１０を持ち上げ、着用者の鼻先と顎との間に空間を形成する。
【００３３】
着用者が息を吸い込むとき、２つの支持ストリップ２０に支持されたマスク本体１０は、空間を維持する。マスク本体１０は、崩れることがなく、着用者の鼻よりも下の皮膚及び着用者の口に接触することがない。着用者が息を吐きだすとき、２つの支持ストリップ２０は、マスク本体１０の空間を維持し、マスク本体１０と着用者との間に隙間を形成するようにマスク本体１０が拡がることを防止する。着用者の顔に確実に張り付いたマスク本体１０の端縁と２つの支持ストリップ２０は、マスク本体１０の空間を維持する。着用者が屋外で運動し、頻繁に呼吸するときには、マスク本体１０の形状は、変わらないように維持され、着用者に接触し、着用者を不快にさせることがない。
【００３４】
それに加えて、着用者が呼吸するとき、２つの支持ストリップ２０に支持されたマスク本体１０は、マスク本体１０の空間を維持する。２つの支持ストリップ２０に支持されたマスク本体１０は、フェイスマスクを着用している際に、着用者に継続して快適さを感じさせる。マスク本体１０は、空気中の汚染物質を完全にブロックするように着用者にしっかりと張り付いて、着用者を保護する。
【００３５】
さらに、第３実施形態では、吸収層１１は、着用者の体液を吸収することもできる。フィルタ層１３は、空気中のバクテリア及び汚染物質をブロックすることもできる。撥水性の不織布で形成された不浸透層１２は、着用者を飛沫感染から防止することもできる。
【００３６】
図２、８を参照して、第４実施形態も、平坦なフェイスマスク（サージカルマスク）であり、同様に、マスク本体１０と、吸収層１１とフィルタ層１３との間に配置された２つの支持ストリップ２０（上唇ストリップ、下唇ストリップ）と、それぞれ２つの側端縁１０３に連結された２つの耳ループ３０とを備えている。マスク本体１０は、トッププリーツ３１と、上唇プリーツ３２と、下唇プリーツ３３とを有する。第４実施形態は、鼻クリップ（トップ支持ストリップ）４０をさらに備えている。トッププリーツ３１は、上端縁１０１の隣に配置されている。上唇プリーツ３２は、トッププリーツ３１よりも下方に配置されている。下唇プリーツ３３は、上唇プリーツ３２よりも下方に配置されている。２つの支持ストリップ２０（上唇ストリップ、下唇ストリップ）はそれぞれ、上唇プリーツ３２及び下唇プリーツ３３に配置されている。鼻クリップ４０は、細長く、柔軟で且つ屈曲可能であり、トッププリーツ３１の隣に配置されている。鼻クリップ４０は、２つの側端縁１０３に向かって延びている。
【００３７】
図９から図１１に示すように、また図２を参照して、第５実施形態も、マスク本体１０と、吸収層１１とフィルタ層１３との間に配置された２つの支持ストリップ２０と、それぞれ２つの側端縁１０３に連結された２つの耳ループ３０とを備えている。第５実施形態のマスク本体１０は、４つの第４プリーツ１８をさらに有する。４つの第４プリーツ１８は、上端縁１０１及び下端縁１０２と平行な第１プリーツ１４、第２プリーツ１５及び第３プリーツ１６とは異なる。そうではなく、４つの第４プリーツ１８は、２つの側端縁１０３と平行となっている。４つの第４プリーツ１８のうちの２つは、上端縁１０１から下端縁１０２に向かって延び、吸収層１１の外側で互いに向かい合う方向へ隆起する２つの隆起１８１を形成する。４つの第４プリーツ１８のうち残りの２つは、下端縁１０２から上端縁１０１へ向かって延び、吸収層１１の外側で互いに向かい合う方向へ隆起する２つの隆起１８１を形成する。
【００３８】
図１１を参照して、第５実施形態の４つの第４プリーツ１８は、上述の第１プリーツ１４、第２プリーツ１５及び第３プリーツ１６がマスク本体１０と着用者との間に空間を形成しやすくする。フェイスマスクが着用者の顔に着用されたとき、４つの第４プリーツ１８によって、フェイスマスクは、その３次元形状をより簡単に維持する。特に、４つの第４プリーツ１８によって、フェイスマスクは、着用者の鼻柱と上唇との間で拡張した状態となる。
【００３９】
図１２、１３を参照して、第６実施形態も、平坦なフェイスマスク（サージカルマスク）であり、同様に、マスク本体１０と、吸収層１１とフィルタ層１３との間に配置された２つの支持ストリップ２０と、それぞれ２つの側端縁１０３に連結された２つの耳ループ３０と、鼻クリップ４０とを備えている。２つの支持ストリップ２０は両方とも、第２プリーツ１５に配置されている。
【００４０】
図１３を参照して、第１プリーツ１４、第２プリーツ１５及び第３プリーツ１６のそれぞれは、外層シートと、内層シートと、外層シート及び内層シートの両方に連結された屈曲部分とを有する。第１プリーツ１４は、上端縁１０１の隣に配置されている。第３プリーツ１６は、下端縁１０２の隣に配置されている。第２プリーツ１５は、第１プリーツ１４と第３プリーツ１６との間に配置されている。
【００４１】
外層シート１４１及び内層シート１４２は、屈曲部分１４３を介して連結されている。外層シート１５１及び内層シート１５２は、屈曲部分１５３を介して連結されている。外層シート１５１は、屈曲している折り畳み部分を介して内層シート１４２に連結され、内層シート１４２は、外層シート１４１と外層シート１５１との間に位置する。
【００４２】
外層シート１６１及び内層シート１６２は、屈曲部分１６３を介して連結されている。外層シート１６１は、屈曲している折り畳み部分を介して内層シート１５２に連結され、内層シート１５２は、外層シート１５１と外層シート１６１との間に位置する。
【００４３】
図１４を参照して、第６実施形態では、鼻クリップ４０及び２つの支持ストリップ２０は全て、不浸透層１２とフィルタ層１３との間に配置されている。実際には、鼻クリップ４０及び２つの支持ストリップ２０は、吸収層１１とフィルタ層１３との間に配置されていてもよい。あるいは、２つの支持ストリップ２０は、吸収層１１に、又は不浸透層１２の外表面に配置されていてもよい。
【００４４】
図１２、１３を参照して、２つの支持ストリップ２０は、互いに平行であり、外層シート１５１に配置されている。図１３において、一方の支持ストリップ２０は、第１支持ストリップ２０Ａとして定義される。第１支持ストリップ２０Ａは、内層シート１４２と外層シート１５１との間に連結された折り畳み部分の隣に配置されている。第１支持ストリップ２０Ａの外側端縁２０１Ａは、内層シート１４２と外層シート１５１との間に連結された折り畳み部分に近接している。
【００４５】
他方の支持ストリップ２０は、第２支持ストリップ２０Ｂとして定義される。第２支持ストリップ２０Ｂは、屈曲部分１５３の隣に配置されている。第２支持ストリップ２０Ｂの外側端縁２０１Ｂは、屈曲部分１５３に近接している。具体的には、上端縁１０１と第１支持ストリップ２０Ａの外側端縁２０１Ａとの間の距離は、２．６ｃｍ以上で３．０ｃｍ以下である。好ましくは、上端縁１０１と第１支持ストリップ２０Ａの外側端縁２０１Ａとの間の距離は、２．８ｃｍである。
【００４６】
距離Ｇは、第１支持ストリップ２０Ａの外側端縁２０１Ａと第２支持ストリップ２０Ｂの外側端縁２０１Ｂとの間の距離で定義され、距離Ｇは、２．３ｃｍ以上で２．７ｃｍである。好ましくは、２つの支持ストリップ２０Ａ、２０Ｂの２つの外側端縁２０１Ａ、外側端縁２０１Ｂの間の距離Ｇは、２．５ｃｍである。
【００４７】
図１５、１６を参照して、柔軟性を有する第１支持ストリップ２０Ａ及び第２支持ストリップ２０Ｂは、着用者によって曲げられ、マスク本体１０にマスク本体１０と着用者との間に空間Ｓを形成させることができる。着用者は、空間Ｓを拡げるように第１支持ストリップ２０Ａ及び第２支持ストリップ２０Ｂの屈曲の程度を調整して、着用者が円滑に呼吸することを確保することができる。
【００４８】
特に、第６実施形態では、第１支持ストリップ２０Ａ及び第２支持ストリップ２０Ｂは両方とも、同じプリーツに配置されている。第１支持ストリップ２０Ａと第２支持ストリップ２０Ｂとの間の距離は短い。マスク本体１０のうち第１支持ストリップ２０Ａと第２支持ストリップ２０Ｂとの間に配置された部分は、十分に支持され、拡げられ、崩れないようになる。着用者が第６実施形態のマスクを着用した状態で話すとき、マスク本体１０のうち第１支持ストリップ２０Ａと第２支持ストリップ２０Ｂとの間に配置された部分は、着用者の顔の方へ凹むことなく、滑らかな見た目をしている。
【００４９】
さらに、第１支持ストリップ２０Ａは、内層シート１４２と外層シート１５１との間に連結された折り畳み部分の隣に配置され、第２支持ストリップ２０Ｂは、屈曲部分１５３の隣に配置されている。言い換えると、第１支持ストリップ２０Ａ及び第２支持ストリップ２０Ｂは両方とも、平坦な外層シート１５１に配置されている。第６実施形態では、マスク本体１０のうち第１支持ストリップ２０Ａと第２支持ストリップ２０Ｂとの間に配置された部分は、折り畳まれた構造がない。そのため、着用者が息を吸い込んだり、吐いたり、又は話したりするときに、マスク本体１０のうち第１支持ストリップ２０Ａと第２支持ストリップ２０Ｂとの間に配置された部分は、膨らんだり、凹んだりすることが難しい。さらに、第６実施形態のフェイスマスクが着用者の顔に装着されたとき、折り畳まれた構造がない、マスク本体１０のうち第１支持ストリップ２０Ａと第２支持ストリップ２０Ｂとの間に配置された部分は、外層シート１５１を滑らかに維持する。
【００５０】
図１７を参照して、第７実施形態は、第３支持ストリップ２０Ｃをさらに備えている。第７実施形態では、第１支持ストリップ２０Ａ及び第２支持ストリップ２０Ｂは、外層シート１５１に配置され、第３支持ストリップ２０Ｃは、内層シート１５２に配置されている。第６実施形態と同様に、第１支持ストリップ２０Ａは、内層シート１４２と外層シート１５１との間に連結された折り畳み部分の隣に配置され、第２支持ストリップ２０Ｂは、屈曲部分１５３の隣に配置されている。第７実施形態では、第３支持ストリップ２０Ｃは、内層シート１５２において内層シート１５２と外層シート１６１との間に連結された折り畳み部分の隣に配置されている。
【００５１】
図１７に示すように、第７実施形態における第３支持ストリップ２０Ｃも、第２プリーツ１５に配置されている。第１支持ストリップ２０Ａは、着用者の鼻の下縁と上唇との間に配置されている。第２支持ストリップ２０Ｂは、着用者の上唇と下唇との間に配置されている。第３支持ストリップ２０Ｃは、着用者の下唇と顎との間に配置され、さらに、第２プリーツ１５の剛性を増強している。第７実施形態のフェイスマスクが着用者の顔に装着されたときに、第３支持ストリップ２０Ｃは、第２プリーツ１５をさらに硬くする。実際的には、第３支持ストリップ２０Ｃは、内層シート１５２において屈曲部分１５３の隣に配置され、不浸透層１２とフィルタ層１３との間に配置されてもよい。
【００５２】
図１８を参照して、第８実施形態は、内層シート１５２と外層シート１６１とに連結された折り畳み部分の隣に配置された第３支持ストリップ２０Ｃを省略している。第８実施形態は、細長く且つ柔軟性がある補助ストリップ５０をさらに備えている。補助ストリップ５０は、第１支持ストリップ２０Ａ及び第２支持ストリップ２０Ｂと平行であり、２つの側端縁１０３へ向かって延びている。補助ストリップ５０は、吸収層１１に直接、接着され、外層シート１６１と内層シート１５２とに連結された折り畳み部分の隣に配置されている。補助ストリップ５０は、第６実施形態のように、不浸透層１２とフィルタ層１３との間に配置されていてもよい。
【００５３】
図１９を参照して、第９実施形態も、平坦なフェイスマスク（サージカルマスク）であり、同様に、マスク本体１０と、吸収層１１とフィルタ層１３との間に配置された少なくとも一つの支持ストリップ２０と、それぞれ２つの側端縁１０３に連結された２つの耳ループ３０と、鼻クリップ４０とを備えている。第９実施形態は、第６実施形態のように、マスク本体１０の各プリーツの内層シートと外層シートが同じ方向へ傾くように配置されるものではなく、その代わりに、マスク本体１０の各プリーツの内層シートと外層シートが、マスク本体１０の中央に位置するアウタープリーツ６１へ向かうように折り畳まれ、マスク本体１０の断面はほぼΩ状に呈している。
【００５４】
第９実施形態におけるマスク本体１０は、アウタープリーツ６１、第１アッパープリーツ６２、及び第１ロアープリーツ６３を有し、アウタープリーツ６１は、シート状を呈し、第１アッパープリーツ６２及び第１ロアープリーツ６３はそれぞれ、外層シートと、内層シートと、外層シート及び内層シートの両方に連結された屈曲部分を有し、第１アッパープリーツ６２の外層シート６２１は、アウタープリーツ６１に、屈曲している折り畳み部分を介して連結され、第１アッパープリーツ６２の外層シート６２１は、第１アッパープリーツ６２の内層シート６２２とアウタープリーツ６１との間に配置され、第１アッパープリーツ６２の内層シート６２２は、アウタープリーツ６１から上向きに突出し、一方で、第１ロアープリーツ６３の外層シート６３１は、アウタープリーツ６１に、屈曲している折り畳み部分を介して連結され、第１ロアープリーツ６３の外層シート６３１は、第１ロアープリーツ６３の内層シート６３２とアウタープリーツ６１との間に配置され、第１ロアープリーツ６３の内層シート６３２は、アウタープリーツ６１から下向きに突出する。
【００５５】
フェイスマスクが着用されたとき、第１アッパープリーツ６２及び第１ロアープリーツ６３が折り畳まれた状態から開き、アウタープリーツ６１が着用者の顔から離れる方向へ移動したことにより、マスク本体１０のアウタープリーツ６１と着用者の顔との間の空間を拡大したので、着用者は円滑な呼吸を維持することができる。
【００５６】
第９実施形態のフェイスマスクは、少なくとも一つの支持ストリップ２０を有し、尚、少なくとも一つの支持ストリップがアウタープリーツ６１或は第１アッパープリーツ６２に配置されることが好ましい。具体的に述べると、本実施例においての少なくとも一つの支持ストリップ２０は、メイン支持ストリップ２１Ａ及びアウター支持ストリップ２１Ｂを含み、メイン支持ストリップ２１Ａは、第１アッパープリーツ６２の内層シート６２２において、第１アッパープリーツ６２の内層シート６２２と、第１アッパープリーツ６２の外層シート６２１との間に連結された屈曲部分の隣に配置され、アウター支持ストリップ２１Ｂは、アウタープリーツ６１において、アウタープリーツ６１と第１アッパープリーツ６２の外層シート６２１との間に連結された折り畳み部分の隣に配置される。着用時、メイン支持ストリップ２１Ａとアウター支持ストリップ２１Ｂは、マスク本体１０と着用者との間に空間を形成するように曲げられることができる。また、アウター支持ストリップ２１Ｂは、アウタープリーツ６１と第１アッパープリーツ６２の外層シート６２１との間に連結された折り畳み部分（すなわち、アウタープリーツ６１の端縁）の隣に配置されることにより、着用時のアウタープリーツ６１の形状は、平坦に維持することができる。尚、他の実施形態において、フェイスマスクは、単にメイン支持ストリップ２１Ａを有してもよく、又は単にアウター支持ストリップ２１Ｂを有してもよい。
【００５７】
図２０を参照して、第１０実施形態も、平坦なフェイスマスク（サージカルマスク）であって、第９実施形態とほぼ同じであるが、相違点としては、マスク本体１０は、第２アッパープリーツ６４及び第２ロアープリーツ６５をさらに有することである。
【００５８】
第２アッパープリーツ６４及び第２ロアープリーツ６５はそれぞれ、外層シートと、内層シートと、外層シート及び内層シートの両方に連結された屈曲部分を有し、第２アッパープリーツ６４の外層シート６４１は、第１アッパープリーツ６２の内層シート６２２に、屈曲している折り畳み部分を介して連結され、第２アッパープリーツ６４の外層シート６４１は、第２アッパープリーツ６４の内層シート６４２と第１アッパープリーツ６２の内層シート６２２との間に配置され、第２アッパープリーツ６４の内層シート６４２は、第１アッパープリーツ６２から上向きに突出し、一方で、第２ロアープリーツ６５の外層シート６５１は、第１ロアープリーツ６３の内層シート６３２に、屈曲している折り畳み部分を介して連結され、第２ロアープリーツ６５の外層シート６５１は、第２ロアープリーツ６５の内層シート６５２と第１ロアープリーツ６３の内層シート６３２との間に配置され、第２ロアープリーツ６５の内層シート６５２は、第１ロアープリーツ６３から下向きに突出している。
【００５９】
本実施形態において、少なくとも一つの支持ストリップ２０は、アッパー支持ストリップ２１Ｃをさらに有し、アッパー支持ストリップ２１Ｃは、第１アッパープリーツ６２の内層シート６２２において、第１アッパープリーツ６２の内層シート６２２と第２アッパープリーツ６４の外層シート６４１との間に連結された折り畳み部分の隣に配置されており、第１アッパープリーツ６２の内層シート６２２上に、メイン支持ストリップ２１Ａ及びアッパー支持ストリップ２１Ｃが対向するように配置されることにより、内層シート６２２が崩れないように十分に支持されるので、アウタープリーツ６１と顔との間の空間を確実に確保することができる。尚、他の実施形態において、フェイスマスクは、メイン支持ストリップ２１Ａ、アウター支持ストリップ２１Ｂ、又はアッパー支持ストリップ２１Ｃのいずれか一つを有しても構わない。
【符号の説明】
【００６０】
１０    マスク本体
１０１  上端縁
１０２  下端縁
１０３  側端縁
１１    吸収層
１２    不浸透層
１３    フィルタ層
１４    第１プリーツ
１４１  外層シート
１４２  内層シート
１４３  屈曲部分
１５    第２プリーツ
１５１  外層シート
１５２  内層シート
１５３  屈曲部分
１６    第３プリーツ
１６１  外層シート
１６２  内層シート
１６３  屈曲部分
１７    固定部
１８    第４プリーツ
１８１  隆起
２０    支持ストリップ
２０１Ａ、２０１Ｂ  外側端縁
２１Ａ  メイン支持ストリップ
２１Ｂ  アウター支持ストリップ
２１Ｃ  アッパー支持ストリップ
３０  耳ループ
３１  トッププリーツ
３２  上唇プリーツ
３３  下唇プリーツ
４０  鼻クリップ
５０  補助ストリップ
６１  アウタープリーツ
６２  第１アッパープリーツ
６２１  外層シート
６２２  内層シート
６３  第１ロアープリーツ
６３１  外層シート
６３２  内層シート
６４    第２アッパープリーツ
６４１  外層シート
６４２  内層シート
６５    第２ロアープリーツ
６５１  外層シート
６５２  内層シート
９０    フェイスマスク
９１    マスク本体
９２    耳ループ
９３    鼻クリップ
【図１】
0003231559.tif 000003
【図２】
0003231559.tif 000004
【図３】
0003231559.tif 000005
【図４】
0003231559.tif 000006
【図５】
0003231559.tif 000007
【図６】
0003231559.tif 000008
【図７】
0003231559.tif 000009
【図８】
0003231559.tif 000010
【図９】
0003231559.tif 000011
【図１０】
0003231559.tif 000012
【図１１】
0003231559.tif 000013
【図１２】
0003231559.tif 000014
【図１３】
0003231559.tif 000015
【図１４】
0003231559.tif 000016
【図１５】
0003231559.tif 000017
【図１６】
0003231559.tif 000018
【図１７】
0003231559.tif 000019
【図１８】
0003231559.tif 000020
【図１９】
0003231559.tif 000021
【図２０】
0003231559.tif 000022
【図２１】
0003231559.tif 000023